(57)【要約】【課題】トッププレートから放射される赤外線放射エネルギーの影響を受けないで鍋の温度を正確に測定できる赤外線センサを用いた誘導加熱調理器を提供することを目的とする。【解決手段】加熱コイルに高周波電力を供給するインバータ手段と、鍋から放射される赤外線放射エネルギーをトッププレートを介して検出する赤外線センサと、鍋下のトッププレートの下面に密着して設けられ、鍋の温度をトッププレートを介して検出する温度センサと、温度センサの検出値に応じてトッププレートから放射される赤外線放射エネルギーを事前に組み込み、赤外線センサで検出した赤外線放射エネルギーから温度センサの検出値に応じてトッププレートから放射される赤外線放射エネルギーを除いた赤外線放射エネルギーから鍋の温度を算出し、その温度情報を基に加熱コイルへの前記高周波電力の通電を制御する制御手段とを備えたものである。【選択図】  図４
2011034743.tif 000002
【特許請求の範囲】
【請求項１】
本体の上面に配置され鍋を載置するトッププレートと、
該トッププレート下方の前記本体内の上部に設けられた加熱コイルと、
該加熱コイルに高周波電力を供給するインバータ手段と、
前記加熱コイルの下方に設けられ前記鍋から放射される赤外線放射エネルギーを前記トッププレートを介して検出する赤外線センサと、
前記トッププレートの下面に密着して設けられ、前記鍋の温度を前記トッププレートを介して検出する温度センサと、
該温度センサによって検出される前記トッププレートの温度に応じて該トッププレートから放射される赤外線放射エネルギーを予めデータとして記憶しておき、前記赤外線センサで検出した赤外線放射エネルギーから、前記予めデータとして記憶されているトッププレートから放射される赤外線放射エネルギーを取り除くことで前記鍋の温度を算出し、該温度情報を基に前記加熱コイルへの前記高周波電力の通電を制御する制御手段と、を具備することを特徴とする誘導加熱調理器。
【発明の詳細な説明】
【技術分野】
【０００１】
本発明は、トッププレート上に載置された鍋の温度を検出するセンサを備えた誘導加熱調理器に関するものである。
【背景技術】
【０００２】
誘導加熱調理器において、トッププレート上に載置された被加熱物である鍋の温度を検出する方法として、トッププレートを介して鍋から伝達される温度を検出するサーミスタ方式と、鍋から放射される赤外線放射エネルギーをトッププレートを介して検出する赤外線センサ方式がある。
【０００３】
前記サーミスタ方式は、サーミスタをトッププレートの下面に密着させ、鍋の温度をトッププレートを通してサーミスタで検出するため、鍋の温度が直接サーミスタに伝わらず、温度の追従性が悪いという問題がある。
【０００４】
また、赤外線センサ方式は、加熱コイルの中央空間部又は内側コイルと外側コイルとの空間部の下方に赤外線センサを配置し、前記空間部を通してトッププレート上に載置された鍋から放射される赤外線放射エネルギーを検出し、そのエネルギー量で鍋の温度を検出するものである。
【０００５】
この方式は、サーミスタ方式のように、鍋と赤外線センサとの間に温度の追従性の問題は生じないが、鍋から放射される赤外線放射エネルギーの量が鍋底の色の違いによって放射面からの放射率が異なり、同じ鍋温度でも異なる温度として測定される問題がある。
【０００６】
そこで、この問題に対処する方法として、特許文献１に示すように、鍋の反射率を測定して該反射率から放射率を算出し、算出した放射率と鍋から放射される赤外線放射エネルギーの値から鍋の温度を算出し、さらに、赤外線センサの受光面に所定帯域の波長の光を透過させるバンドパスフィルターを設け、測定誤差となるトッププレート自身から放射される赤外線や外乱光をカットして温度測定の精度を向上させた加熱調理器がある。
【先行技術文献】
【特許文献】
【０００７】
【特許文献１】特開２００４−３２７０５３号公報
【発明の概要】
【発明が解決しようとする課題】
【０００８】
特許文献１に示されている発明は、赤外線放射エネルギーを測定する際にトッププレート自身から放射される赤外線をバンドパスフィルターで取り除くものである。そのバンドパスフィルターは０.７６μｍ〜３μｍの透過波長域のもので、測定できる鍋の温度は、約５０〜２３０℃の温度の範囲を可能にしている。
【０００９】
しかし、鍋を加熱していくとトッププレートの温度も上昇し、トッププレートの温度が前記測定可能領域である５０〜２３０℃になると赤外線センサはトッププレート自身が放射する赤外線放射エネルギーも受光することになる。
【００１０】
この時、鍋の温度とトッププレートの温度が同じ場合は問題はないが、赤外線センサの受光面に位置するトッププレート裏面の温度は本体内の電子部品や加熱コイルを冷却する冷却ファンからの冷却風の影響を受け、鍋の温度より低くなる。
【００１１】
また、鍋を加熱し始めた時や、鍋の温度が上昇している時には、トッププレートは鍋からの温度の伝達によって温度上昇するため、鍋の温度上昇より遅れて温度上昇する。
【００１２】
そのため、赤外線センサは、常に鍋の温度より低いトッププレート裏面の温度の影響を受け、鍋の温度を実際の温度より低く検出する問題がある。
【課題を解決するための手段】
【００１３】
本発明は、上記の課題を解決するためになされたもので、本体の上面に配置され鍋を載置するトッププレートと、該トッププレート下方の前記本体内の上部に設けられた加熱コイルと、該加熱コイルに高周波電力を供給するインバータ手段と、前記加熱コイルの下方に設けられ前記鍋から放射される赤外線放射エネルギーを前記トッププレートを介して検出する赤外線センサと、前記トッププレートの下面に密着して設けられ、前記鍋の温度を前記トッププレートを介して検出する温度センサと、該温度センサによって検出される前記トッププレートの温度に応じて該トッププレートから放射される赤外線放射エネルギーを予めデータとして記憶しておき、前記赤外線センサで検出した赤外線放射エネルギーから、前記予めデータとして記憶されているトッププレートから放射される赤外線放射エネルギーを取り除くことで前記鍋の温度を算出し、該温度情報を基に前記加熱コイルへの前記高周波電力の通電を制御する制御手段とを具備するものである。
【発明の効果】
【００１４】
本発明の誘導加熱調理器によれば、トッププレートの温度を検出して該トッププレートから放射される赤外線放射エネルギーを、赤外線センサで受光した赤外線放射エネルギーから取り除くことにより、鍋から放射される赤外線放射エネルギーのみ検出して正確に鍋の温度を検出し、その温度情報を基に加熱コイルへの高周波電力の通電を制御することができる。
【図面の簡単な説明】
【００１５】
【図１】本発明の誘導加熱調理器の外観斜視図である。
【図２】本発明の誘導加熱調理器の主要断面図（図１のＡ−Ａ断面図）である。
【図３】本発明の誘導加熱調理器のトッププレートを取り除いた状態の上面図である。
【図４】本発明の誘導加熱調理器の左右の加熱コイルを主体としたブロック図である。
【図５】本発明の照度センサの出力と照度の関係を示すグラフである。
【図６】本発明の誘導加熱調理器の上面操作部と上面表示部を説明する説明図である。
【図７】本発明の誘導加熱調理器で加熱したときの鍋とトッププレートの加熱時間と算出した温度との関係を示す説明図である。
【発明を実施するための形態】
【００１６】
以下、本発明の実施例について、図面を参照して説明する。
【００１７】
図において、誘導加熱調理器の本体１の上面にはトッププレート２が水平に配置されている。
【００１８】
トッププレート２は、耐熱性の高い結晶化ガラス製の厚さ約４mmのもので構成されおり、上面に載置部３（載置部右３ａ，載置部左３ｂ，載置部中央３ｃ）が描かれ、該載置部３上に鍋３０を載置する。
【００１９】
トッププレート２の載置部３と対向した本体１内の上部右左及び中央後部には、環状に形成された加熱コイル２５（加熱コイル右２５ａ，加熱コイル左２５ｂ，加熱コイル中央２５ｃ）が夫々配置されており、トッププレート２の載置部３に載置された鍋３０を誘導加熱する。
【００２０】
また、載置部右３ａ，載置部左３ｂには、鍋３０からの赤外線放射エネルギーや鍋の反射率などを検出して鍋の情報を検出するための透過窓２０（透過窓右２０ａ，透過窓左２０ｂ）が設けられている。そして、この透過窓２０は、鍋から放射される赤外線放射エネルギーの減衰を少なくするために、文字や絵，着色等を施さないようにしている。
【００２１】
トッププレート２の前面側には、夫々の加熱コイル２５に対応した上面操作部７ａ，７ｂ，７ｃが設けられ、加熱コイル２５の通電状態の設定や操作を行う。また、各上面操作部７ａ，７ｂ，７ｃに対応して上面表示部８ａ，８ｂ，８ｃが上面操作部７ａ，７ｂ，７ｃの近傍に設けられており、夫々の加熱コイル２５の通電状態等を表示する。上面操作部７ａは、本体１右側の加熱コイル右２５ａの火力等の入力を行い、上面操作部７ｂは本体１中央後部の加熱コイル中央２５ｃの火力等の入力を行い、上面操作部７ｃは本体１左側の加熱コイル左２５ｂの火力等の入力を行う。
【００２２】
本体１の後部右側には上方に向けて開口した吸気口４が設けられており、本体１内の基板ケース２７内に設けられた冷却ファン２９により外気を本体１内に吸引する。
【００２３】
本体１内に吸引された冷却風は、基板ケース２７内に設けられ制御手段１１８などを構成する電子回路を組み込んだ制御基板２３や加熱コイル２５に通電するインバータ手段１００を組み込んだインバータ基板２４を冷却した後、基板ケース２７の上面に設けた冷却口２７ａから吹き出され、さらに、トッププレート２と加熱コイル２５間のギャップ３１に流れて加熱コイル２５を冷却する。本体１の後部左側には、本体１の内部を冷却した後の冷却風を排出する排気口５が設けられている。
【００２４】
本体１の前面左部には、魚やピザ等を焼くグリル加熱手段６が設けられている。該グリル加熱手段６は、前面が開口した箱型をしていて、内部の調理庫内にシーズヒータ等の発熱体と内部の温度を検出するサーミスタ（いずれも図示せず）が設けられ、前面開口部はハンドル６ａが取り付けられたグリルドア６ｂにより塞がれている。グリルドア６ｂは、その裏側に焼網を載置した受け皿（いずれも図示せず）が取り付けられており、該受け皿は、調理庫内に前面開口部から出し入れ自在に収納され、焼網上に載置された魚やピザ等の食材を加熱調理する。
【００２５】
本体１の前面右部には、本体１内の加熱コイル２５等に供給される電力の主電源スイッチ９と、グリル加熱手段６の加熱調理条件等を入力する前面操作部１０が設けられている。前面操作部１０は、下方に設けられた回動軸（図示せず）を中心として操作パネル１１の上方が前面側に倒れ、操作キー１２が上方側に向かって露出する所謂カンガルーポケット形態のものである。
【００２６】
本体１内の上部右左に配置した加熱コイル右２５ａ，加熱コイル左２５ｂは、夫々環状の内側加熱コイル２５ａ−１，２５ｂ−１と、その外側に環状の隙間２６を設けて配置された環状の外側加熱コイル２５ａ−２，２５ｂ−２とで構成されている。加熱コイル右２５ａ，加熱コイル左２５ｂに隙間２６を設ける理由は、内側加熱コイル２５ａ−１，２５ｂ−１と外側加熱コイル２５ａ−２２５ｂ−２とで発生する磁束を分散させて鍋３０の温度を均一化するためである。尚、本体１内の中央後部に配置した加熱コイル中央２５ｃも上記と同様の構成であるが、本実施例では符号を付しての説明は省略する。
【００２７】
図４は加熱コイル右２５ａの詳細を示すもので、（加熱コイル左２５ｂは加熱コイル右２５ａと同様の構成であり、説明を省略する）コイルベース１３上に設置されている。
【００２８】
また、加熱コイル右２５ａとトッププレート２との間には、コイルベース１３の外周縁部に取り付けられた支持部材１６によりコイルベース１３の外周から中心側に向けて適宜間隔を保持するようにギャップスペーサー１４が設けられており、トッププレート２に載置される鍋３０と加熱コイル右２５ａとのギャップ３１を一定に保持するようにしている。
【００２９】
加熱コイル右２５ａは、表皮効果を抑制するためリッツ線を採用しており、後述するインバータ手段１００により数十ｋＨｚの高周波で数百Ｖの電圧が印加され、鍋３０に対して高周波磁界を印加して鍋３０に渦電流を発生させ、鍋３０を自己発熱させて加熱する。
【００３０】
内側加熱コイル２５ａ−１の中心部近傍には、サーミスタで構成された内側温度センサ１５ａがトッププレート２の下面に密着するように設けられており、加熱コイル右２５ａの上方に載せられた鍋３０の温度をトッププレート２を介して検知する。
【００３１】
また、内側加熱コイル２５ａ−１と外側加熱コイル２５ａ−２との環状の隙間２６には、加熱コイル右２５ａの中心部から１２０度ずつの等間隔を保持してサーミスタよりなる外側温度センサ１５ｂ，１５ｃ，１５ｄがギャップスペーサー１４に緩衝材（図示せず）を介してトッププレート２の下面に密着するように設けられ、加熱コイル右２５ａの上方に載置された鍋３０の温度を検知する。
【００３２】
なお、上記では、外側温度センサ１５ｂ，１５ｃ，１５ｄは、加熱コイル右２５ａの隙間２６に設ける構成としたが、特にこれに限定される必要はなく、例えば外側加熱コイル２５ａ−２の外周近傍に設けてもよい。
【００３３】
また、外側温度センサ１５ｂ，１５ｃ，１５ｄは３個に限定されることはなく、１個又は２個であっても、３個以上であってもよい。
【００３４】
さらに、温度センサ１５の少なくとも１個は、後述する赤外線センサ１７の近傍に設ける構成としている。
【００３５】
そして、各温度センサ１５の検出した温度情報は制御回路１１８に入力する。
【００３６】
また、加熱コイル右２５ａの隙間２６の下方には赤外線センサ１７（増幅回路を含む）が設けられており、鍋３０の底面から放射される赤外線放射エネルギーをトッププレート２に設けた透過窓２０ａを介して受光し、その受光した赤外線放射エネルギーから温度を検知する。
【００３７】
赤外線センサ１７は、熱型検出素子を使用した方式のセンサと、該センサから出力される電圧信号を約３０００倍に増幅する増幅回路から成り、その受光面１７ａは隙間２６の下方に設けられている。そして、増幅した信号は制御手段１１８に入力される。
【００３８】
また、受光面１７ａには、赤外線の視野角を制限するレンズや４μｍ以上の赤外線をカットする、例えばトッププレート２と同じ赤外線透過特性を有するフィルター３３が設けられ、検出温度は１００℃から２５０度としている。そして、その視野角は、図４に示すようにトッププレート２の下面の位置で１０φから１５φの温度検出スポット１７ｂによって検出する範囲としている。
【００３９】
また、赤外線センサ１７に近接するようにして反射型フォトインタラプタ１８が設けられている。
【００４０】
反射型フォトインタラプタ１８は、赤外線発光手段としての赤外線ＬＥＤ１８ａと、赤外線受光手段としての赤外線フォトトランジスタ１８ｂとを同一プラスチック部材に並べて一体化したものである。
【００４１】
前記赤外線ＬＥＤ１８ａは、発光面にはプラスチックによるレンズが構成され、細いビームの赤外光を上方に照射する。赤外線フォトトランジスタ１８ｂは、受光面には可視光阻止のプラスチックによるレンズが構成され、赤外線ＬＥＤ１８ａから照射し鍋底面で反射した赤外光を狭い視野角で受光し、その受光量に比例した電流を出力する。
【００４２】
尚、ここでは反射型フォトインタラプタ１８を赤外線センサ１７に近接させて設けたが、両者を一体化したパッケージにして設置しても良い。この反射型フォトインタラプタ１８の赤外線フォトトランジスタ１８ｂの出力から、反射率計測手段１９でトッププレート２上に置かれた鍋３０底面の反射率を計測し、制御手段１１８に入力する。
【００４３】
さらに、反射型フォトインタラプタ１８に隣接するように照度センサ２１が設けられている。該照度センサ２１は、入力される可視光のレベルに応じた電圧を出力し、該電圧は照度計測手段２２に入力され、照度センサ２１の真上のトッププレート２上に鍋底が存在するか否かが判断され、その情報を制御手段１１８に入力する。
【００４４】
次に、照度計測手段２２により鍋の有無を判断する方法について説明する。
【００４５】
図５において、実線４１は照度センサ２１の真上に鍋がないときに該照度センサ２１からの出力を受けた照度計測手段２２が出力する電圧であり、周囲の照度が上昇するにつれ出力電圧も略比例して上昇する。また、実線４２は照度センサ２１の真上に鍋があるときに照度センサ２１からの出力を受けた照度計測手段２２が出力する電圧であり、周囲の照度が上昇しても約０.６Ｖの出力を保つ。
【００４６】
本実施例の制御手段１１８では、閾値４３を１.０Ｖに設定し、閾値を超えるときは照度センサ２１の真上に鍋が存在しないと判断し、閾値未満のときは照度センサ２１の真上に鍋が存在すると判断する。
【００４７】
この場合、照度が約８０ルクス以下のときには、鍋が存在しないにもかかわらず、鍋が存在すると判断される問題が生じるが、この問題は、赤外線センサの出力も合わせて鍋の有無を判断することで解消することができる。なお、ここでは鍋の有無を判断するための閾値を１.０Ｖとしたが、照度センサ２１の特性に応じて閾値を適当に設定することができる。
【００４８】
図６は上面操作部７ａと上面表示部８ａを説明する図である。なお、上面操作部７ｃと上面表示部８ｃの内容は、上面操作部７ａと上面表示部８ａの内容と同じものであるため説明は省略する。
【００４９】
上面表示部８ａは、表示部８１ａと表示部８１ｂに分けられ、表示部８１ａは、火力設定手段７２で入力される火力やメニュー設定手段７１で入力される調理メニュー等が表示される。表示部８１ｂは、メニュー設定手段７１で設定された“揚げもの”や“ステーキ”メニュー等において、鍋３０を予熱してその温度が適温に達した時に使用者に食材の投入タイミングを知らせることができるように「予熱中」と、「適温」の表示を行うことができる。
【００５０】
火力設定手段７２で設定できる火力は、“とろ火”キー７２ａ，“弱火”キー７２ｂ，“中火”キー７２ｃ，“強火”キー７２ｄの四段階に分かれ、必要な火力を一回の操作で入力できるように火力に応じて個別にキーが設けられている。矢印調整手段７３は、火力設定手段７２で入力できない火力、例えば“中火”キー７２ｃにより中火に設定した後、さらに中火を上下に微調整する場合に使用する。
【００５１】
メニュー設定手段７１は、自動調理の“炊飯”や、“揚げもの”，“湯沸し”，“炒めもの”，“ステーキ”等を設定するためのもので、メニュー設定手段７１を押すことで表示部８１ａにメニューが表示され、メニュー設定手段７１を押すたびにメニューが切り替わり表示される。これによって使用するメニューを選択する。７４は調理の開始や停止するための切・スタートキーである。
【００５２】
図４に示すように、制御手段１１８には、上面操作部７のメニュー設定手段７１や火力設定手段７２の出力、内側温度センサ１５ａ，外側温度センサ１５ｂ，１５ｃ，１５ｄ，赤外線センサ１７，反射率計測手段１９，照度計測手段２２の出力が入力される。
【００５３】
また、制御手段１１８は、上面操作部７の設定内容と、各温度センサ１５ａ，１５ｂ，１５ｃ，１５ｄの検出温度および赤外線センサ１７の検出した赤外線放射エネルギー、反射率計測手段１９で算出した反射率、照度計測手段２２で計測した照度に応じてインバータ手段１００を制御し、加熱コイル２５に流れる高周波電流を制御して鍋３０を加熱制御する。
【００５４】
次に、上記で説明した誘導加熱調理器における実際の加熱制御について、揚げ物調理を例に説明する。
【００５５】
メニュー設定手段７１で“揚げもの”を選択すると、次に油温を設定する必要があり、その場合、矢印調整手段７３を操作して１５０℃〜２００℃の６段階の温度を設定することができる。
【００５６】
最初に油を入れた鍋３０を本体１右側の載置部右３ａの中央に置き、主電源スイッチ９をオンして電源を入れ、表示部８１ａを見ながら上面操作部７ａのメニュー設定手段７１を操作して「揚げもの」を選択し、矢印調整キー７３を操作して油温を設定する。揚げもの調理に適した油温は約１５０〜２００℃であるが、ここでは、油温を１８０℃に設定し、表示部８１ａには「１８０」が表示されるものとする。なお、一般的に油温は鍋底温度よりも２０℃程度低いので、赤外線センサ１７の出力に基づいて検出される鍋底の温度が約２００℃のときに鍋内の油温が約１８０℃となる。
【００５７】
また、その時の温度センサ１５が観測する鍋底温度は、トッププレート２を介して測定するため、鍋底の温度より低い１６０℃となる。
【００５８】
次に、切・スタートキー７４を操作して揚げもの調理を開始する。
【００５９】
揚げもの調理を開始すると、照度センサ２１の出力から、照度計測手段２２により照度を計測する。制御手段１１８には、鍋の有無を判別するための閾値（例えば１.０Ｖ）が予め記憶されているので、照度計測手段２２の出力電圧と記憶された閾値を比較し、照度計測手段２２の出力電圧が閾値未満であれば鍋がずれていないと判定する。このとき温度センサ１５用の設定温度をＴ１（例えば１６０℃）、赤外線センサ２１用の設定温度をＴ３（例えば２００℃）に設定し、以後の温度制御を行う。ここで、設定温度Ｔ１の例として１６０℃、設定温度Ｔ３の例として２００℃を挙げた理由は、各々のセンサで観測される温度が各々の設定温度になったときに、鍋内の油温が使用者の設定した約１８０℃となるからである。
【００６０】
一方、照度計測手段２２の出力電圧が閾値以上であれば、鍋３０がずれていると判定し、照度センサ２１の真上に鍋３０が無いと判別できるので、赤外線センサ１７の出力に基づく制御は行わないで、温度センサ１５に基づいて鍋３０の温度制御を行い、照度計測手段２２によって鍋３０のずれが無いと判断した場合は、赤外線センサ１７の検出した温度情報に基づいて鍋３０の温度制御を行う。
【００６１】
加熱が開始された直後は、鍋３０の温度は、まだ室温に近い温度（２５℃）であるので、赤外線センサ１７では鍋３０の温度を検出することはできず、温度センサ１５に基づいて鍋３０の温度制御を行う。
【００６２】
加熱が進み、鍋３０の温度が、赤外線センサ１７の検出可能な１００℃以上になると（図７のｔ１）、赤外線センサ１７から制御手段１１８に赤外線放射エネルギーの情報が入力され、制御手段１１８は、入力された赤外線放射エネルギーから温度を算出する。
【００６３】
その後、加熱が進み、加熱された鍋３０の温度がトッププレート２に伝わり、トッププレート２の温度も、赤外線センサ１７の検出可能な１００℃以上となる（図７のｔ２）。これによって、赤外線センサ１７は、鍋３０からの赤外線放射エネルギーと、鍋３０の温度より低いトッププレート２からの赤外線放射エネルギーの両方が入力され、赤外線センサ１７から制御手段１１８へ入力される赤外線放射エネルギーの情報は、実際の鍋３０の温度より低い情報となる。
【００６４】
また、鍋３０の温度を一定の温度で制御している時でも、誘導加熱調理器の本体１内は常に冷却ファン２９からの冷却風３２によって冷却されているため、トッププレート２の裏面の温度は鍋底の温度より低い温度に保たれ、赤外線センサ１７から制御手段１１８へ入力される赤外線放射エネルギーの情報は、前記同様に実際の鍋３０の温度より低い情報となる。
【００６５】
そこで、制御手段１１８は、温度センサ１５ｄによって検出されるトッププレート２の温度に応じて該トッププレート２から放射される赤外線放射エネルギーを予め実験等によってデータとして記憶しておき、赤外線センサ１７で検出した赤外線放射エネルギーから、予めデータとして記憶されているトッププレート２から放射される赤外線放射エネルギーを取り除くことで、鍋３０から放射されている赤外線放射エネルギーを求める。
【００６６】
次に、制御手段１１８は鍋３０の放射率を求め、該放射率によって前記求めた鍋３０から放射されている赤外線放射エネルギーを補正して鍋３０の温度を算出する。
【００６７】
制御手段１１８は、鍋３０の反射率を検出するため、反射型フォトインタラプタ１８の赤外線ＬＥＤ１８ａより赤外光を鍋３０に向けて照射し、鍋３０から反射した赤外光を赤外線フォトトランジスタ１８ｂで受光し、該赤外線フォトトランジスタ１８ｂは、受光量に応じた電流を反射率計測手段１９に出力する。反射率計測手段１９は、赤外線フォトトランジスタ１８ｂからの出力電流の値に応じて鍋３０の底面の反射率を制御手段１１８に出力する。
【００６８】
また、制御手段１１８は、前記反射率から鍋３０から放射される赤外線放射エネルギーの放射率を算出（放射率εと反射率ρとの関係：ε＋ρ＝１）し、前記求めた鍋３０のみの赤外線放射エネルギーを前記放射率より補正して鍋３０の温度を算出する。そして、算出した鍋３０の温度に基づいて鍋３０の温度が設定温度を保つように加熱コイル２５の通電を制御する。
【００６９】
以上の動作を繰り返すことで鍋３０の温度を正確に設定温度に保つことができる。
【００７０】
以上説明したように、本実施例によれば、トッププレートの温度を検出して該トッププレートから放射される赤外線放射エネルギーを、赤外線センサで受光した赤外線放射エネルギーから取り除くことにより、鍋から放射される赤外線放射エネルギーも検出して正確に鍋の温度を検出し、その温度情報を基に加熱コイルへの高周波電力の通電を制御することができる。
【符号の説明】
【００７１】
２  トッププレート
１５  温度センサ
１７  赤外線センサ
２０  透過窓
３３  フィルター
１１８  制御手段
【図１】
2011034743.tif 000003
【図２】
2011034743.tif 000004
【図３】
2011034743.tif 000005
【図４】
2011034743.tif 000006
【図５】
2011034743.tif 000007
【図６】
2011034743.tif 000008
【図７】
2011034743.tif 000009